(57)【特許請求の範囲】
【請求項１】
三分割式の回転ブラシ体を備え、被洗浄車両と洗車機本体を前後方向に相対移動させながら洗車を行う洗車機であって、
前記回転ブラシ体が上部回転ブラシと下部回転ブラシとこれらの間に設けられる中間回転ブラシを備え、
前記上部回転ブラシを回転駆動する第一駆動部と、前記下部回転ブラシを回転駆動する第二駆動部とを備え、
前記中間回転ブラシが、前記第一もしくは前記第二駆動部のいずれか一方の回転駆動力を受けて回転すると共に、一方の正方向の回転方向に回転駆動力を伝達し、逆方向には回転駆動力を伝達しないクラッチ部材を介して当該駆動部の駆動軸と連結されることを特徴とする洗車機。
【請求項２】
前記クラッチ部材は、ラチェット歯をその外周に備える転動体と、前記ラチェット歯に係合する係合爪部とを備えたラチェット機構からなり、
前記転動体は、前記駆動軸に組み込まれ該駆動軸と共に同心状に回転し、
前記係合爪部は、前記駆動軸の外周に外嵌される円筒状軸とされる前記中間回転ブラシのブラシ軸の内側に設けられ、前記ラチェット歯に向けて付勢されることを特徴とする請求項１に記載の洗車機。
【請求項３】
前記転動体が円柱状であって該円柱状の高さに相当する幅広のラチェット歯を備え、前記係合爪部が前記幅広のラチェット歯に係合する広幅の爪部材であることを特徴とする請求項２に記載の洗車機。
【請求項４】
前記駆動軸は前記第二駆動部が有する第二駆動軸であって、前記中間回転ブラシは、前記第二駆動軸に前記クラッチ部材を介して連結されていることを特徴とする請求項１から３のいずれかに記載の洗車機。
【請求項５】
前記第二駆動軸が前記回転ブラシ体のブラシ軸を貫通して配設される内軸であり、前記第一駆動部により回転駆動される第一駆動軸が前記内軸に対して回転自在に外嵌される外軸であることを特徴とする請求項４に記載の洗車機。
【発明の詳細な説明】
【技術分野】
【０００１】
本発明は、たとえば給油所に設置され洗車に使用される洗車機に関し、特に、被洗浄車両の側面部を洗車する回転ブラシを備える洗車機に関する。
【背景技術】
【０００２】
従来、給油所などに設置されている洗車機は、被洗浄車両と洗車機本体を前後方向に相対移動させながら、被洗浄車両に貯液タンクに貯留された液剤や洗浄水を噴射して洗車を行う構成とされている。また、液剤や洗浄水を噴射しながらブラッシングして洗浄することや、洗浄後に風を吹き付けて乾燥することが行われている。
【０００３】
洗浄工程においては、先ず、洗浄水を用いて汚れを落とし、次いでシャンプーなどの液剤を用いて洗浄し、さらに洗浄水を用いて水洗いする。この洗浄工程の後で、各送風ノズルから送風して乾燥する乾燥工程が行われる。また、必要に応じてワックスや撥水コートなどの液剤塗布工程を適宜組み合わせて洗車を行う。このように、洗車の際に用いる液剤としては、各種のシャンプーやワックスやコート類が用いられており、それぞれ専用の貯液タンクに貯留され、タンク内に挿入されたチューブを介して、洗車工程の処理に応じて噴射され消費される。また、複数の洗車モードから所望のモードを選択し、使用する液剤の種類を選択して所定の洗車モードに設定する操作パネルやリモートパネルを備えている。操作パネルは洗車機本体に配設しているが、リモートパネルは洗車機本体から離れた位置に設置して、このリモートパネルと操作パネルとを電気的に接続して、リモートパネルに設定された洗車モードにより、洗車機を駆動可能にしている。
【０００４】
操作パネルやリモートパネルを備える洗車機の一例について図７を用いて説明する。この洗車機ＷＢは、複数のブラシを備える洗浄部材と、ブロワと複数の送風ノズルを備える乾燥部材とを一体に装着し、被洗浄車両ＣＡを跨ぐように門型とされる洗車機本体１を備えた構成であり、被洗浄車両ＣＡと洗車機本体１を前後方向に相対移動させながら、複数の貯液タンクに貯留された液剤をそれぞれ水により希釈して前記被洗浄車両へ噴射して、前記被洗浄車両の洗車を行う。
【０００５】
例えば、洗車機本体１が、車輪３を介してレール２上に沿って走行移動する構成とし、被洗浄車両ＣＡを、該被洗浄車両ＣＡを跨ぐ門型とされる洗車機の左右一対のレール間の所定の位置に停車して、洗車機本体１に設置する操作パネル７もしくは洗車機本体１から離れた位置に設置するリモートパネル７Ａに、所望の洗車モードを設定し、スタートボタンを操作して、洗車操作を開始する。
【０００６】
門型の洗車機本体１は、被洗浄車両ＣＡを洗浄する回転ブラシ体として、例えば、被洗浄車両ＣＡの上面を洗浄するトップブラシ４と、被洗浄車両ＣＡの両側面と前後面を洗浄する左右一対のサイドブラシ５と、被洗浄車両ＣＡの両側面下部を洗浄する左右一対のロッカーブラシ６を備えている。
【０００７】
また、ブラッシングの際に使用する洗浄水や各種液剤を噴射する各種ノズルや各種液剤を貯液する貯液タンクを備えている。各種液剤を貯液する複数の貯液タンクは、洗車機本体１に設けられるタンク収納部９Ａに収納されており、電磁式の開閉弁と副給水ホースを備える分配配管部９Ｂを介して各ノズルに分配している。液剤を噴射するノズルとしては、例えば、第一浄水ノズル１１、第一洗剤ノズル１２、第二浄水ノズル１３、撥水コートノズル１４、第二洗剤ノズル１５、ワックスノズル１６などが配設されている。
【０００８】
さらに、乾燥のために、ブロワ２０と該ブロワ２０からの送風を吹き付ける昇降自在なトップ送風ノズル２１と左右一対のサイド送風ノズル２２を備えている。また、洗車機本体１に配設する操作パネル７、もしくは、洗車機本体１から離れた位置に設置するリモートパネル７Ａを介して、洗車機ＷＢの駆動条件を設定し、設定された条件に基づいて洗車機ＷＢを駆動する構成としている。８は、被洗浄車両ＣＡの有無および車高を検知するセンサであって、例えば、光電センサや超音波を利用したソニックセンサが好適に用いられる。
【０００９】
操作パネル７やリモートパネル７Ａには、水洗いモードや、洗剤を用いた洗浄モードや、ワックスを塗布するワックスモードや、撥水剤をコートする撥水モードなどの各種洗車モードを選択する選択ボタンや、ブラシの回転数を制御するブラシ回転スイッチや、スタート・ストップボタンなどが設けられている。
【００１０】
また、洗車機本体１を、洗浄部材を備えた洗浄機本体と乾燥部材を備えた乾燥機本体との別体として、それぞれが、被洗浄車両ＣＡを跨ぐように門型とされ、被洗浄車両ＣＡと洗浄機本体と乾燥機本体とを前後方向に相対移動させながら、被洗浄車両ＣＡの洗車を行う構成の洗車機も知られている。この構成であっても、各種ブラシと各種ノズルを備え、操作パネル７もしくはリモートパネル７Ａを備えていることは同じである。
【００１１】
上記した従来の洗車機ＷＢにおいては、被洗浄車両ＣＡの側面や前面、後面を洗浄するサイドブラシ５は、車幅の異なる複数タイプの被洗浄車両ＣＡの側面にブラシを当接させてブラッシングしたり、前面や後面に回り込んでブラッシングしたりするために、車両の正面側から見た左右方向に移動自在とされている。
【００１２】
また、車体表面から突出して装着されているドアミラーやフェンダーミラーやリヤミラーなどの装備品を傷付けることなく洗車するために、種々の工夫がなされている。例えば、車形検出センサを設けてこの車形検出センサが突出した装備品を検出すると、その位置でのブラシの回転数を低速にしているものがある。また、サイドブラシ５を上下に二分割して、それぞれ独立回転可能として、装備品のある部位をブラッシングする回転ブラシを低速にしたり停止させたりしているものがある。
【００１３】
また、サイドブラシ５を上中下に三分割して、それぞれを独立して回転駆動することで、さらに細かい制御を行うこともできる。しかし、三分割した三個の回転ブラシをそれぞれ駆動するための駆動装置を三個設けることは不経済であるので、上部回転ブラシを駆動する第一駆動装置と下部回転ブラシを駆動する第二駆動装置を設け、中間回転ブラシは、例えば、第二駆動装置の駆動力を流体（加圧空気）を用いた接断体（膨張収縮部材）を介して回転停止させるとした洗車機が既に本出願人から提案されている（例えば、特許文献１参照）。
【００１４】
また、上部回転ブラシと下部回転ブラシは、それぞれ駆動軸に固定し、中間回転ブラシは磁気手段を介して上部回転ブラシに結合した洗車用回転ブラシ装置が既に公開されている（例えば、特許文献２参照）。
【先行技術文献】
【特許文献】
【００１５】
【特許文献１】特開２００９−１７３１７５号公報
【特許文献２】実開昭６０−５４４２６号公報
【発明の概要】
【発明が解決しようとする課題】
【００１６】
洗浄水や洗剤などの洗浄液を高圧噴射することで、車体表面の汚れを落として洗浄することはできる。また、回転ブラシを用いてブラッシングして洗車することで、より高級な仕上がりを得ることができる。しかし、ドアミラーやフェンダーミラーなどの車体表面から突出した装備品に、回転するブラシが強く当りすぎると傷めてしまう虞が生じるので、装備品のある部位をブラッシングする際には、回転を低速にするか停止させることが好ましい。
【００１７】
また、装備品のある部位であっても、この装備品以外の部分はブラッシングして洗浄することが好ましい。そのために、上下方向に回転軸を有する回転ブラシを上中下に複数分割し、それぞれを個別に回転駆動制御し、センサを用いて装備品を確認し、確認された部位に相当する位置にある回転ブラシの回転を制御して、装備品を傷付けることなく安全に洗車を行うことが求められる。
【００１８】
また、特許文献１に記載されたように、中間回転ブラシを、加圧空気を用いた接断体（膨張収縮部材）を用いて駆動軸と接離自在として、二個の駆動装置を用いて三分割された上中下の回転ブラシの回転を制御する構成では、接断体の耐久性に問題があり、メンテナンスコストが高くなってしまい好ましくない。また、高圧空気を用いるので、移動して洗浄する回転ブラシ体に高圧空気を送る経路を設ける必要が生じて好ましくない。
【００１９】
特許文献２に記載された回転ブラシ装置は、回転する回転ブラシ体と磁気手段を介して接続されて回転するので、車体表面から突出した装備品に当る当接力を調節することが困難である。例えば、磁気力が強過ぎると、装備品に対する当りが強くなり過ぎて問題となる。また、磁気力が弱過ぎると、回転力が伝達され難くなって、十分な洗浄効果を発揮できなくなってしまい問題となる。
【００２０】
そのために、回転ブラシ体を上中下に三分割して三個よりも少ない、例えば、二個の駆動装置を用いると共に、高圧空気などの流体を用いずに、それぞれの回転ブラシの回転を制御可能で、且つ、それぞれの回転ブラシを確実に回転して洗浄能力を発揮可能な洗車機であることが好ましい。
【００２１】
本発明は、上記問題点に鑑み、より簡単な構成で三分割式とされる回転ブラシ体のそれぞれの回転ブラシの回転を制御可能として、サイドミラーなどの装備品を損傷せずに洗浄能力を発揮する洗車機を提供することを目的とする。
【課題を解決するための手段】
【００２２】
上記目的を達成するために本発明は、三分割式の回転ブラシ体を備え、被洗浄車両と洗車機本体を前後方向に相対移動させながら洗車を行う洗車機であって、前記回転ブラシ体が上部回転ブラシと下部回転ブラシとこれらの間に設けられる中間回転ブラシを備え、前記上部回転ブラシを回転駆動する第一駆動部と、前記下部回転ブラシを回転駆動する第二駆動部とを備え、前記中間回転ブラシが、前記第一もしくは前記第二駆動部のいずれか一方の回転駆動力を受けて回転すると共に、一方の正方向の回転方向に回転駆動力を伝達し、逆方向には回転駆動力を伝達しないクラッチ部材を介して当該駆動部の駆動軸と連結されることを特徴としている。
【００２３】
この構成によると、上部回転ブラシは第一駆動部を介して回転駆動を制御し、下部回転ブラシは第二駆動部を介して回転駆動を制御することができる。また、中間回転ブラシは、この中間回転ブラシが備えるクラッチ部材に連結される駆動軸の正逆回転の方向により、メカ的にオン・オフ制御を行うことができる。そのために、高圧空気などの流体を用いずに、より簡単な構成で、それぞれの回転ブラシの回転を制御可能となる。また、サイドミラーなどの装備品のある部位の回転ブラシを容易に停止させることができると共に、装備品のない部位は、それぞれの回転ブラシを確実に回転して洗浄能力を発揮可能な洗車機を得ることができる。
【００２４】
また本発明は、上記構成の洗車機において、前記クラッチ部材は、ラチェット歯をその外周に備える転動体と、前記ラチェット歯に係合する係合爪部とを備えたラチェット機構からなり、前記転動体は、前記駆動軸に組み込まれ該駆動軸と共に同心状に回転し、前記係合爪部は、前記駆動軸の外周に外嵌される円筒状軸とされる前記中間回転ブラシのブラシ軸の内側に設けられ、前記ラチェット歯に向けて付勢されることを特徴としている。この構成によると、駆動軸の正回転方向のときに、係合爪部がラチェット歯に係合して中間回転ブラシが回転し、駆動軸の逆回転方向のときに、係合爪部とラチェット歯とが係合しないように組み付けることで、中間回転ブラシの回転と停止を機械的に制御することができる。
【００２５】
また本発明は、上記構成の洗車機において、前記転動体が円柱状であって該円柱状の高さに相当する幅広のラチェット歯を備え、前記係合爪部が前記幅広のラチェット歯に係合する広幅の爪部材であることを特徴としている。この構成によると、強度が高いラチェット機構を構成するので、回転ブラシを安定して回転駆動可能なクラッチ部材となる。
【００２６】
また本発明は、上記構成の洗車機において、前記駆動軸は前記第二駆動部が有する第二駆動軸であって、前記中間回転ブラシは、前記第二駆動軸に前記クラッチ部材を介して連結されていることを特徴としている。この構成によると、中間回転ブラシのオン・オフ制御を、下部回転ブラシを駆動する第二駆動部の回転方向により切り替えることができ、中間回転ブラシを下部回転ブラシと共に確実に回転させることも、下部回転ブラシを回転させて中間回転ブラシを確実に停止させることも可能となる。
【００２７】
また本発明は、上記構成の洗車機において、前記第二駆動軸が前記回転ブラシ体のブラシ軸を貫通して配設される内軸であり、前記第一駆動部により回転駆動される第一駆動軸が前記内軸に対して回転自在に外嵌される外軸であることを特徴としている。この構成によると、外軸を駆動軸として上部回転ブラシを回転駆動し、この外軸の内部を貫通して回転自在とされる内軸を駆動軸として下部回転ブラシと中間回転ブラシとをそれぞれ回転駆動することができる。また、内軸にラチェット機構を設けるので、ラチェット機構を形成する転動体の外径を小さく抑えることができコンパクトなクラッチ部材構成とすることができる。
【発明の効果】
【００２８】
本発明によれば、三分割式の回転ブラシ体を備えた洗車機において、中間回転ブラシが、上部回転ブラシを回転駆動する第一駆動部、もしくは、下部回転ブラシを回転駆動する第二駆動部のいずれか一方の回転駆動力を受けて回転すると共に、一方の正方向の回転方向に回転駆動力を伝達し、逆方向には回転駆動力を伝達しないクラッチ部材を介して当該駆動部の駆動軸と連結される構成としたので、高圧空気などの流体を用いずに、より簡単な構成で、それぞれの回転ブラシの回転を制御可能となる。また、サイドミラーなどの装備品のある部位の回転ブラシを容易に停止させることができると共に、装備品のない部位は、それぞれの回転ブラシを確実に回転して洗浄能力を発揮可能な洗車機を得ることができる。
【図面の簡単な説明】
【００２９】
【図１】本発明に係る回転ブラシ体の一例を示す断面説明図である。
【図２】本発明に係るクラッチ部材の一例を示す概略断面図であって、（ａ）は係合爪部がラチェット歯に係合した回転状態を示し、（ｂ）は係合爪部とラチェット歯とが係合しない非回転状態を示す。
【図３】サイドブラシを用いた洗車工程を説明する平面摸式図である。
【図４】洗車機本体に対するサイドブラシの取付構造を説明する概略正面図である。
【図５】サイドブラシを用いた洗車工程を説明する概略正面図である。
【図６】洗車機の概略正面図である。
【図７】洗車機の全体構成を示す概略説明図である。
【発明を実施するための形態】
【００３０】
以下に本発明の実施形態を図面を参照して説明する。また、同一構成部材については同一の符号を用い、詳細な説明は適宜省略する。
【００３１】
本実施形態の洗車機ＷＡは、洗車機本体と被洗浄車両とを前後方向に相対移動させながら、被洗浄車両の洗車を行う洗車機であって、先に説明した図７に示す洗車機ＷＢと同様な構成とされている。そのために、図６に示すように、車輪３を介してレール２上に沿って走行移動する門型の洗車機本体１にブラッシング洗浄する回転ブラシ体として、被洗浄車両ＣＡの上面を洗浄するトップブラシ４と、被洗浄車両ＣＡの両側面と前後面を洗浄する左右一対のサイドブラシ５と、被洗浄車両ＣＡの足回りを洗浄するロッカーブラシ６を備え、乾燥のために、ブロワ２０と該ブロワ２０からの送風を吹き付ける昇降自在なトップ送風ノズル２１と左右一対のサイド送風ノズル２２を備えた構成は同じである。
【００３２】
８Ａは、被洗浄車両ＣＡのボンネット高さを検知するボンネット高さ検知センサであって、前述した被洗浄車両ＣＡの有無および車高を検知するセンサ８と同様に光電式もしくは超音波式の反射型センサを用いることができる。また、これらのセンサの配設位置を考慮して一個のセンサを兼用して被洗浄車両ＣＡの有無とボンネット高さを検知することも可能である。
【００３３】
また、ボンネット高さ検知センサ８Ａに替えて透過式光電センサからなる車形検出センサ（不図示）を用いることもできる。この場合には、洗車機本体の一方の側部の上下方向に投光器を併設し、これらの投光器に対向する他方の側部の上下方向に受光器を併設することで、洗浄位置に進入してくる被洗浄車両の車形およびボンネット高さを検知する。
【００３４】
左右一対のサイドブラシ５は、洗車機本体１の上部の幅方向に配設される走行レールに、被洗浄車両の正面側から見た左右方向に移動自在に吊り下げ状態に支持され、且つ、それぞれのブラシ軸がそれぞれ走行ホルダーに回転自在に支持されて構成されている。例えば、図４に示すように、向かって右側の右サイドブラシ５Ａが第一走行ホルダー５０Ａに回転可能に支持され、向かって左側の左サイドブラシ５Ｂが第二走行ホルダー５０Ｂに回転可能に支持されている。
【００３５】
右サイドブラシ５Ａと左サイドブラシ５Ｂは、それぞれが揺動支持部６０を介して揺動自在に吊り下げられ、それぞれの走行ホルダー（第一走行ホルダー５０Ａ、第二走行ホルダー５０Ｂ）を介して走行レール３０に沿って往復移動自在な構成とされている。また、別に設ける回転駆動用モータによってブラシ軸が回転可能とされる。そのために、ブラシを被洗浄車両の傾斜した側面部に対応して傾斜させて当接させた状態で回転させることができる。つまり、サイドブラシ５（５Ａ、５Ｂ）を被洗浄車両の側面部に合致させてブラッシングすることが可能な構成である。
【００３６】
また、第一走行ホルダー５０Ａと第二走行ホルダー５０Ｂとをそれぞれ独立して走行可能としているので、洗車機本体１に対する被洗浄車両の左右方向の位置がずれた位置であっても、左右のサイドブラシ５Ａ、５Ｂを適当な位置に配置して所望の洗浄効果を発揮して、安定した洗車が可能となる。
【００３７】
揺動支持部６０を介して揺動自在に吊り下げられているサイドブラシ５（５Ａ、５Ｂ）を用いて被洗浄車両ＣＡの側面を洗浄する際には、例えば、それぞれのサイドブラシ５を被洗浄車両ＣＡの側面に当接させ、さらに少し進めて揺動支持部６０を介して所定角度傾斜させた後、所定距離戻してその傾斜を小さくした位置でそれぞれのサイドブラシ５を回転操作して、車体側面への押し付け強さを緩和してそれぞれの側面の洗車を同時に行う。また、この際にこの洗浄する傾斜した姿勢を維持するために、ウエイトの付勢力を利用して押し付け強さを得る場合もある。
【００３８】
走行レール３０はその端部軸を軸受け体４１に支持され、図示しない駆動装置を介して車両の前後方向に揺動自在な構成とされている。また、前後傾斜検出センサ４２を備えており、該センサを介して前後方向の傾斜を検知する構成としている。
【００３９】
向かって右側の右サイドブラシ５Ａは第一走行ホルダー５０Ａを介して図中の矢印Ｄ１方向に摺動移動し、向かって左側の左サイドブラシ５Ｂは第二走行ホルダー５０Ｂを介して図中の矢印Ｄ２方向に摺動移動して、左右一対のサイドブラシ５を被洗浄車両の両側部に対して開閉操作する構成としている。
【００４０】
それぞれの走行ホルダー５０Ａ、５０Ｂは、それぞれ図に示すように、ホルダー本体３１に、走行モータ３２と該走行モータ３２により駆動される走行車輪３３と、走行ホルダーを走行レール３０に沿って摺動自在に支持する案内ローラ３４とを備えている。また、サイドブラシ５のブラシ軸を回転駆動する駆動部材と、ブラシ軸を揺動自在に支持する揺動支持部６０と、ブラシ軸の揺動角度を検知する揺動角度検知センサとを備えている。
【００４１】
揺動支持部６０は、ブラシ軸を回転自在且つ揺動自在に支持する構成であれば、どのような構成でもよい。例えば、ブラシ軸を回転自在に支持する支持部を一体に揺動自在な構成とすることも、ブラシ軸を、回転軸と固定軸との二重構成とし、固定軸を揺動自在に支持し、この固定軸内部に回転可能に回転軸を装着する構成とすることもできる。
【００４２】
また、図示していないが、第一走行ホルダー５０Ａ、第二走行ホルダー５０Ｂの開閉方向のそれぞれの限度を規定する開限センサや閉限センサを設けることもできる。
【００４３】
上記構成のサイドブラシ５（５Ａ、５Ｂ）を用いることで、それぞれの走行ホルダー５０Ａ、５０Ｂを走行レール３０に沿って摺動移動して、左右一対のサイドブラシ５を左右に開閉移動可能となる。また、それぞれのサイドブラシ５を車両の側面に当接させ所定角度揺動した姿勢で停止させることも、この停止後に所定の戻し距離、車両から離間させることも可能となる。
【００４４】
例えば、図５に示すように、洗車機本体１の所定位置に被洗浄車両ＣＡが停車して、洗車を開始すると、第一走行ホルダー５０Ａを介して右サイドブラシ５Ａは図中の矢印Ｄ１方向に摺動移動し、向かって左側の左サイドブラシ５Ｂは第二走行ホルダー５０Ｂを介して図中の矢印Ｄ２方向に摺動移動して、左右一対のサイドブラシ５を被洗浄車両の両側部に当接させてブラッシングして洗浄開始する。
【００４５】
また、ブラッシングしながら洗車機本体１がレール２に沿って移動することで、被洗浄車両ＣＡの車長全域に亘ってブラッシングして洗浄する。
【００４６】
この際に、ドアミラーやフェンダーミラーなどの車体表面から突出した装備品に、回転するブラシが強く当りすぎると傷めてしまう虞が生じるので、本実施形態では、サイドブラシ５を軸方向の上中下に三分割して、上部回転ブラシ５１と中間回転ブラシ５２と下部回転ブラシ５３とで構成し、それぞれの回転ブラシをオン・オフ制御可能な構成としている。この構成であれば、装備品のある部位をブラッシングする際には、回転を低速にするか停止させることが容易にできて好ましい。
【００４７】
例えば、図５に示すように、ドアミラー８０を検知すると、この部分に相当する中間回転ブラシ５２の回転を停止して、これ以外の部分をブラッシング洗浄する。
【００４８】
次に、本実施形態に係る三分割式の回転ブラシ体に関して、上中下に三分割構成としたサイドブラシ５の構成について図１および図２を用いて説明する。
【００４９】
図１に示すように、走行ホルダー５０（５０Ａ、５０Ｂ）を介して走行レール３０に吊り下げ状態に支持されているサイドブラシ５は、上部回転ブラシ５１、中間回転ブラシ５２、下部回転ブラシ５３を備えた三分割のブラシ構成とされる。
【００５０】
上部回転ブラシ５１は、第一駆動モータＭ１と駆動ギヤＧ１と従動ギヤＰ１とこれらのギヤ間に巻回される駆動力伝達体（例えば、チェーンやタイミングベルトなど）を備えた第一駆動部ＤＶ１により回転駆動される。
【００５１】
下部回転ブラシ５３は、第二駆動モータＭ２と駆動ギヤＧ２と従動ギヤＰ２とこれらのギヤ間に巻回される駆動力伝達体（例えば、チェーンやタイミングベルトなど）を備えた第二駆動部ＤＶ２により回転駆動される。
【００５２】
中間回転ブラシ５２は、前記第一もしくは前記第二駆動部のいずれか一方の回転駆動力を受けて回転すると共に、一方の正方向の回転方向に回転駆動力を伝達し、逆方向には回転駆動力を伝達しないクラッチ部材ＣＬを介して当該駆動部の駆動軸と連結される。
【００５３】
クラッチ部材ＣＬは、駆動軸の回転方向により、その回転を伝達したりしなかったりする機能を有する構成であればよく、例えば、駆動軸が正回転のときに回転駆動力を伝達して中間回転ブラシ５２が回転し、駆動軸が逆回転すると回転駆動力を伝達せず、中間回転ブラシ５２は回転せずに停止するように構成する。そのために、このクラッチ部材ＣＬとして、ワンウェイクラッチや、ラチェット歯と係合爪を備えるラチェット機構などを用いることができる。
【００５４】
本実施形態では、ラチェット歯をその外周に備える転動体６１と、前記ラチェット歯に係合する係合爪部６２とを備えたラチェット機構からなるクラッチ部材ＣＬを用いる構成とした。転動体６１は、前記駆動軸に組み込まれ該駆動軸と共に同心状に回転する。また、係合爪部６２は、前記駆動軸の外周に外嵌される円筒状軸とされる中間回転ブラシ５２のブラシ軸ＢＴ１の内側に設けられ、前記ラチェット歯に向けて付勢される。
【００５５】
ラチェット歯を備える転動体６１と係合爪部６２からなるラチェット機構は、洗車機に装備するサイドブラシなどの比較的大型の回転体にも対応容易であるので好ましい。また、この構成であれば、駆動軸の正回転方向のときに、係合爪部６２がラチェット歯に係合して中間回転ブラシ５２が回転し、駆動軸の逆回転方向のときに、係合爪部６２とラチェット歯とは係合しないように組み付けることで、中間回転ブラシ５２の回転と非回転（停止）を機械的に制御することができる。
【００５６】
例えば、図２（ａ）に示すように、転動体６１が駆動軸と共に図中の矢印Ｋ１方向に回転すると、支軸６２ａとラチェットバネ６２ｂを備えて転動体６１に向けて付勢されるように構成された係合爪部６２が、ラチェット歯６１ａに係合して回転駆動力伝達状態となり、転動体６１と共に中間回転ブラシ５２が回転する。
【００５７】
また、図２（ｂ）に示すように、転動体６１が駆動軸と共に図中の矢印Ｋ２方向に回転すると、係合爪部６２が係合しない方向にラチェット歯６１ａが回転して、たとえ、係合爪部６２が、ラチェット歯６１ａに向けて付勢されていても、係合せずに回転駆動力が伝達されない非回転状態となり、中間回転ブラシ５２は回転せず停止する。
【００５８】
このように、中間回転ブラシ５２は、駆動軸と共に回転する転動体６１の回転方向によって、回転状態と非回転状態とに切り替わる。すなわち、中間回転ブラシ５２の回転と非回転を、駆動軸の回転方向を切り替えることにより制御することができる。
【００５９】
中間回転ブラシ５２を回転させる駆動軸は、第一駆動部ＤＶ１が備える駆動軸でも第二駆動部ＤＶ２が備える駆動軸でもよい。また、一方の正方向の回転方向に回転駆動力を伝達し、逆方向には回転駆動力を伝達しないクラッチ部材ＣＬを介して当該駆動部の駆動軸と連結することで、中間回転ブラシ５２自体に独立した駆動部を設ける必要がなくなる。
【００６０】
ここで、本実施形態では、図１に示すように、第二駆動部ＤＶ２が有する第二駆動軸ＤＳ２にクラッチ部材ＣＬを介して中間回転ブラシ５２を連結する構成としている。すなわち、第二駆動軸ＤＳ２は、連結具ＲＧを介して下部回転ブラシ５３を回転駆動し、中間回転ブラシ５２は、クラッチ部材ＣＬを介して下部回転ブラシ５３の正方向回転と共に回転し、逆方向回転時には回転しない構成となる。
【００６１】
図中のＢＴ１は、中間回転ブラシ５２のブラシ軸であって、前述した係合爪部６２を装着すると共にベアリンング部材ＢＧ３を介して、第二駆動軸ＤＳ２に対して回転自在に連結される。また、ＢＴ２は、下部回転ブラシ５３のブラシ軸であって、連結具ＲＧを介して第二駆動軸ＤＳ２に連結されている。また。上部回転ブラシ５１のブラシ軸は第一駆動軸ＤＳ１が兼ねる構成でも、この第一駆動軸ＤＳ１に取り付ける構成であってもよい。
【００６２】
第二駆動軸ＤＳ２は、サイドブラシ５のブラシ軸を貫通して配設される内軸であり、この外側に第一駆動部ＤＶ１により回転駆動される第一駆動軸ＤＳ１が回転自在に外嵌される。すなわち、第一駆動軸ＤＳ１は外軸であり、内軸の第二駆動軸ＤＳ２にベアリング部材ＢＧ１、ＢＧ２を介して相対回転自在に組み付けられている。この構成であれば、外軸を駆動軸として上部回転ブラシ５１が回転駆動され、この外軸の内部を貫通して回転自在とされる内軸を駆動軸として下部回転ブラシ５３と中間回転ブラシ５２とがそれぞれ回転駆動される。また、内軸となる第二駆動軸ＤＳ２にラチェット機構を設けるので、ラチェット機構を形成する転動体６１の外径を小さく抑えることができコンパクトなクラッチ部材構成とすることができる。
【００６３】
クラッチ部材ＣＬが備える転動体６１は、円柱状であって該円柱状の高さに相当する幅広のラチェット歯６１ａを備えた構成とされる。そのために、係合爪部６２は、幅広のラチェット歯６１ａに係合する広幅の爪部材とされる。この構成であれば、強度が高いラチェット機構を構成するので、耐久性が向上し、回転ブラシを安定して回転駆動可能なクラッチ部材ＣＬとなって好ましい。
【００６４】
クラッチ部材ＣＬを用いているので、中間回転ブラシ５２の回転のオン・オフの制御をメカ式に行うことが可能となる。そのために、回転制御のために電装部材や流体部材などが不要な簡単な構成となって好ましい。
【００６５】
例えば、図３の模式図に示すように、三分割式の回転ブラシ体を用いて被洗浄車両ＣＡの側面をブラッシングする際に、サイドミラー８０部を洗浄するときには、前述したように矢印Ｋ２方向にブラシ軸を回転して、サイドミラー８０がある部位に相当する中間回転ブラシの回転を停止する。また、このサイドミラー８０以外の部分をブラッシングする際には、ブラシ軸を矢印Ｋ１方向に回転して、三分割式のサイドブラシを全て回転させてブラッシングする。
【００６６】
以上、本発明に係る洗車機ＷＡが備える三分割式の回転ブラシ体について、上中下に三分割されたサイドブラシ５を用いて説明してきたが、サイドブラシ５以外のブラシにこの三分割式の回転ブラシ体を用いてもよい。本実施形態に係る三分割式の回転ブラシ体は、それぞれの回転ブラシの回転と非回転を確実に制御できるので、車体表面から突出して装備品が配設された部分とその他の平坦な車体表面とを同時にブラッシングして洗浄する回転ブラシ体として、特に好適に用いることができる。
【００６７】
以上、説明したように、本実施形態に係る洗車機ＷＡは、三分割された回転ブラシ体（例えば、サイドブラシ５）を備え、中間回転ブラシ５２が、上部回転ブラシ５１を回転駆動する第一駆動部、もしくは、下部回転ブラシ５３を回転駆動する第二駆動部のいずれか一方の回転駆動力を受けて回転すると共に、一方の正方向の回転方向に回転駆動力を伝達し、逆方向には回転駆動力を伝達しないクラッチ部材ＣＬを介して当該駆動部の駆動軸と連結される構成としたので、高圧空気などの流体を用いずに、より簡単な構成で、それぞれの回転ブラシの回転を制御可能となる。また、サイドミラーなどの装備品のある部位の回転ブラシを容易に停止させることができると共に、装備品のない部位は、それぞれの回転ブラシを確実に回転して洗浄能力を発揮する洗車機を得ることができる。
【００６８】
また、クラッチ部材ＣＬは、ラチェット歯をその外周に備え駆動軸と共に回転する転動体６１と、ラチェット歯に向けて付勢されて係合する係合爪部６２とを備えたラチェット機構からなる構成としたので、駆動軸の正回転方向のときに、係合爪部６２がラチェット歯に係合して中間回転ブラシ５２が回転し、駆動軸の逆回転方向のときに、係合爪部６２がラチェット歯と係合しないように組み付けることで、中間回転ブラシ５２の回転と停止を機械的に制御することができる。
【００６９】
また、クラッチ部材ＣＬが備えるラチェット歯６１ａと係合爪部６２とを、共に広幅としたので、強度が高いラチェット機構を構成して、耐久性が向上し、回転ブラシを安定して回転駆動可能となる。
【００７０】
上記したように本発明に係る洗車機によれば、電装部材や流体部材を用いずにより簡単な構成で三分割ブラシの回転を制御可能として、耐久性に優れ装備品を損傷せずに洗浄能力を発揮する洗車機となる。
【産業上の利用可能性】
【００７１】
そのために、本発明に係る洗車機は、各種の車種に対して安全で且つ高級な洗車仕上がりが求められる洗車場の洗車機として好適に適用される。
【符号の説明】
【００７２】
１    洗車機本体
２    レール
３    車輪
５    サイドブラシ（回転ブラシ体）
３０    走行レール
５１    上部回転ブラシ
５２    中間回転ブラシ
５３    下部回転ブラシ
６１    転動体
６１ａ  ラチェット歯
６２    係合爪部
ＤＶ１  第一駆動部
ＤＳ１  第一駆動軸
ＤＶ２  第二駆動部
ＤＳ２  第二駆動軸
ＣＬ    クラッチ部材
ＣＡ    被洗浄車両
ＷＡ    洗車機
【図１】
0005447275.tif 000002
【図２】
0005447275.tif 000003
【図３】
0005447275.tif 000004
【図４】
0005447275.tif 000005
【図５】
0005447275.tif 000006
【図６】
0005447275.tif 000007
【図７】
0005447275.tif 000008